(57)【特許請求の範囲】
【請求項１】
映像を表示する表示部と、使用者の目前に配置されるとともに前記表示部の映像を虚像として使用者の目に導く接眼光学系を有する眼鏡部と、前記眼鏡部を支持するとともに使用者の耳に掛けるテンプル部とを備えた映像観察装置において、
前記テンプル部の軸と平行な軸を中心に回転して映像を操作する操作部を前記テンプル部に設けたことを特徴とする映像観察装置。
【請求項２】
前記操作部の操作により映像を縦方向に移動させることを特徴とする請求項１に記載の映像観察装置。
【請求項３】
映像を表示する表示部と、使用者の目前に配置されるとともに前記表示部の映像を虚像として使用者の目に導く接眼光学系を有する眼鏡部と、前記眼鏡部を支持するとともに使用者の耳に掛けるテンプル部とを備えた映像観察装置において、
前記テンプル部の軸方向にスライドして映像を操作する操作部を前記テンプル部に設けたことを特徴とする映像観察装置。
【請求項４】
前記操作部の操作により映像を横方向に移動させることを特徴とする請求項３に記載の映像観察装置。
【発明の詳細な説明】
【０００１】
【発明の属する技術分野】
本発明は、眼鏡形状をして頭部に装着することにより映像を観察する頭部装着型の映像観察装置に関する。
【０００２】
【従来の技術】
従来の頭部装着型の映像観察装置は、特開平１１−１３６５９８号公報に開示されている。同公報の映像観察装置は、使用者の目前に配される透光性の眼鏡部がフレームにより支持されている。フレームの両端には、使用者の両耳に掛けて映像観察装置を保持する耳掛け部が延設されている。フレームの上面には表示装置が取付けられ、外光が表示装置を透過して眼鏡部に設けられたハーフミラー部で反射することにより、表示装置の映像の虚像が使用者の目に導かれるようになっている。
【０００３】
耳掛け部には、複数の操作ボタンが設けられている。操作ボタンを操作することによって、映像表示のオン、オフや、映像として表示される時計の時刻調整等を行うことができるようになっている。
【０００４】
【発明が解決しようとする課題】
しかしながら、上記の従来の映像表示装置によると、操作ボタンの押圧によって表示のオンオフ等の単純な操作が可能であるが、画面スクロールやカーソル移動等のより複雑な操作をすることが困難であった。このため、映像表示装置と接続コードにより接続されたポインティングデバイス等を操作して映像を操作するため、操作性が悪い問題があった。
【０００５】
本発明は、映像の複雑な操作を簡単に行うことができ、操作性を向上することのできる頭部装着型の映像観察装置を提供することを目的とする。
【０００６】
【課題を解決するための手段】
上記目的を達成するために請求項１に記載された発明は、映像を表示する表示部と、使用者の目前に配置されるとともに前記表示部の映像を虚像として使用者の目に導く接眼光学系を有する眼鏡部と、前記眼鏡部を支持するとともに使用者の耳に掛けるテンプル部とを備えた映像観察装置において、
前記テンプル部の軸と平行な軸を中心に回転して映像を操作する操作部を前記テンプル部に設けたことを特徴としている。
【０００７】
この構成によると、テンプル部を側頭部に配して映像観察装置が使用者の頭部に装着され、表示部に表示される映像が接眼光学系を介して虚像として使用者の目に導かれる。これにより、使用者が映像を観察することができる。使用者はテンプル部に設けられた操作部を手指で回転することにより映像を操作することができる。
【０００８】
また請求項２に記載された発明は、請求項１に記載された映像観察装置において、前記操作部の操作により映像を縦方向に移動させることを特徴としている。
【０００９】
また請求項３に記載された発明は、映像を表示する表示部と、使用者の目前に配置されるとともに前記表示部の映像を虚像として使用者の目に導く接眼光学系を有する眼鏡部と、前記眼鏡部を支持するとともに使用者の耳に掛けるテンプル部とを備えた映像観察装置において、
前記テンプル部の軸方向にスライドして映像を操作する操作部を前記テンプル部に設けたことを特徴としている。
【００１０】
この構成によると、テンプル部を側頭部に配して映像観察装置が使用者の頭部に装着され、表示部に表示される映像が接眼光学系を介して虚像として使用者の目に導かれる。これにより、使用者が映像を観察することができる。使用者はテンプル部に設けられた操作部を手指でスライドすることにより映像を操作することができる。
【００１１】
また請求項４に記載された発明は、請求項３に記載された映像観察装置において、前記操作部の操作により映像を横方向に移動させることを特徴としている。
【００１５】
【発明の実施の形態】
以下に本発明の実施形態を図面を参照して説明する。図１は第１実施形態の映像観察装置を示す斜視図である。透光性の部材から成るレンズ３、４は連結部８により連結され、連結部８には使用者の鼻に掛ける鼻当て部６Ｒ、６Ｌが固着されている。レンズ３、４の両端には使用者の左右の耳に掛けるテンプル部５Ｌ、５Ｒが延設されている。これにより、レンズ３、４が使用者の目前に配されるようになっている。
【００１６】
右目用のレンズ３の一部にはプリズム２が埋め込まれ、プリズム２の上部には映像を表示する表示部１０が取付けられている。表示部１０には電源供給及び信号供給用のケーブル７が接続されている。プリズム２を通る側面断面を図２に示すと、表示部１０は筐体１４に覆われて筐体１４によりプリズム２に取付けられている。
【００１７】
また、筐体１４により表示パネル１１、集光レンズ１３及び光源１２が保持されている。表示パネル１１は透過型の液晶パネルから成り、プリズム２の表面２ｂに対して傾斜して配されている。光源１２は発光ダイオード等から成り、表示パネル１１を照射する。集光レンズ１３は光源１２からの光を集光して表示パネル１１に照射する。プリズム２の下端は表面２ｂに対して傾斜しており、体積位相型のホログラム素子（接眼光学系）２ａが設けられている。
【００１８】
ケーブル７から映像信号が表示パネル１１に送られると、映像信号に同期して光源１２が発光する。光源１２から出射された光束は集光レンズ１３により表示パネル１１に照射され、表示パネル１１で変調して映像が表示される。映像光はプリズム２に入射してプリズム２内を反射しながら導光し、ホログラム素子２ａに導かれる。ホログラム素子２ａは映像光をコリメートして反射し、使用者の眼Ｅに導く。これにより、使用者は映像を虚像として観察できるようになっている。
【００１９】
プリズム２内を映像光が反射して導光されるので、通常の眼鏡用レンズと同程度（例えば３ｍｍ）までプリズム２を薄くすることができる。これにより、映像観察装置１の小型軽量化を図ることができるようになっている。尚、映像が表示されないときは、使用者はプリズム２を通して外界を見ることができる。プリズム２の下端面は傾斜しているので外光の透過光を屈折するが、レンズ３により補正して外界を歪むことなく見ることができるようになっている。
【００２０】
図１において、右耳用のテンプル部５Ｒには、テンプル部５Ｒの軸方向（Ｘ方向）にスライド可能で、且つ軸を中心にＹ方向に回転可能な操作部２０が支持されている。操作部２０の断面図を図３に示すと、操作部２０の内部には互いに直交する軸部２１ａ、２２ａに嵌合されるローラー２１、２２が設けられている。
【００２１】
操作部２０をＹ方向に回転すると、ローラー２２がテンプル部５Ｒと摺動して回転し、回転角に応じた信号を出力するようになっている。これにより、図５（ａ）に示すように使用者に観察される表示画面４０の映像が、図５（ｂ）に示すように縦方向に移動するようになっている。
【００２２】
また、操作部２０をＸ方向にスライドすると、ローラー２１がテンプル部５Ｒと摺動して回転し、回転角に応じた信号を出力する。これにより、図６（ａ）に示すように使用者に観察される表示画面４０の映像が、図６（ｂ）に示すように横方向に移動するようになっている。
【００２３】
従って、画面スクロールの操作を簡単に行うことができ、映像表示装置１の操作性が向上する。また、操作部２０が側頭部に配置されるため、映像画面の操作を自然な動作により行うことができ、第３者から見て違和感なく操作することができる。尚、図４に示すように、ローラー２１、２２をテンプル部５Ｒに設けて操作部２０と摺動させてもよい。
【００２４】
次に、図７は第２実施形態の映像観察装置の右目側を示す斜視図である。説明の便宜上、前述の図１〜図６の第１実施形態と同一の部分には同一の符号を付している。本実施形態は、操作部２０（図１参照）に替えてテンプル部５Ｒにはトラックボール２３が設けられている。その他の構成は第１実施形態と同一である。
【００２５】
トラックボール２３部分の詳細を図８に示すと、トラックボール２３は球体２４とローラ２、２６とを有している。テンプル部５Ｒの内部には互いに直交する軸部２５ａ、２６ａに嵌合するローラー２５、２６が配されている。ローラー２５、２６には球体２４が支持され、球体２４を手指で回転するとローラー２５、２６が球体２４と摺動して回転し、回転角に応じた信号を出力する。
【００２６】
図９に示すように、表示画面４０に表示されるカーソル４１の（Ｘ、Ｙ）座標は、逐次出力されるローラー２５、２６の回転角に応じて決められる。これにより、トラックボール２３の操作によって表示画面４０内のカーソル４１が移動されるようになっている。
【００２７】
従って、カーソル移動の操作を簡単に行うことができ、映像表示装置１の操作性が向上する。また、トラックボール２３が側頭部に配置されるため、映像の操作を自然な動作により行うことができ、第３者から見て違和感なく操作することができる。また、既に実用化されているトラックボール２３を用いることにより映像観察装置１を安価に構成することができる。
【００２８】
次に、図１０は第３実施形態の映像観察装置の右目側を示す斜視図である。説明の便宜上、前述の図７の第２実施形態と同一の部分には同一の符号を付している。本実施形態は、トラックボール２３（図７参照）に替えてテンプル部５Ｒにはトラックポイント３０が設けられている。その他の構成は第２実施形態と同一である。
【００２９】
トラックポイント３０はテンプル部５Ｒに傾倒可能に突設されている。トラックポイント３０を手指Ｆで押圧しながら傾倒すると、傾倒した方向の図中、Ｘ、Ｙ方向成分の傾倒時間に応じた２次元の座標信号が出力されるようになっている。
【００３０】
この信号により、前述の図９のカーソル４１の（Ｘ、Ｙ）座標が決められ、トラックポイント３０の操作によって表示画面４０内のカーソル４１が移動されるようになっている。従って、第２実施形態と同様に、カーソル移動の操作を簡単に行うことができ、映像表示装置１の操作性が向上する。また、既に実用化されているトラックポイント３０を用いることにより映像観察装置１を安価に構成することができる。
【００３１】
次に、図１１は第４実施形態の眼鏡型の映像観察装置の右目側を示す斜視図である。説明の便宜上、前述の図７の第２実施形態と同一の部分には同一の符号を付している。本実施形態は、トラックボール２３（図７参照）に替えてテンプル部５Ｒにはトラックパッド２７が設けられている。また、レンズ３の周囲には無線信号を受信する受信部２９が設けられている。その他の構成は第２実施形態と同一である。
【００３２】
トラックパッド２７上で手指Ｆを摺動させると、摺動方向の図中、Ｘ、Ｙ方向成分の摺動量に応じた２次元の座標信号が出力されるようになっている。この信号により、前述の図９のカーソル４１の（Ｘ、Ｙ）座標が決められ、トラックパッド２７の操作によって表示画面４０内のカーソル４１が移動されるようになっている。従って、第２実施形態と同様に、カーソル移動の操作を簡単に行うことができ、映像表示装置１の操作性が向上する。また、既に実用化されているトラックパッド２７を用いることにより映像観察装置１を安価に構成することができる。
【００３３】
また、映像信号は受信部２９で受信され、表示パネル１１（図２参照）に送られて映像が表示される。従って、コード７は電源を供給するだけでよくコード７による煩雑さを低減することができる。尚、筐体１４内に電源部を配するとコード７を省いてより煩雑さを低減することができる。また、レンズ３の周囲に受信部２９を設けることにより、外観上違和感なく受信部２９を配置することができる。
【００３４】
本発明において、第１実施形態の回転操作及びスライド操作する操作部２０により画面のカーソル移動を行ってもよいし、第２〜第４実施形態の２次元の座標を入力可能な操作部材（２３、２７、３０）により映像の縦方向と横方向の移動を行うようにしてもよい。
【００３５】
また、第１実施形態の操作部２０、第２〜第４実施形態の操作部材（２３、２７、３０）、従来例のような操作ボタン等の複数の操作手段を組み合わせて設けてもよい。例えば、図１２は第５実施形態の映像観察装置のテンプル部５Ｒを示している。本実施形態は、第１実施形態の映像観察装置のテンプル部５Ｒに、操作部２０の両端面により押圧される押ボタン２８ａ、２８ｂを設けている。このようにすると、押ボタン２８ａ、２８ｂの押圧により映像のオン、オフや、表示された映像の所定部分の選択等を行うことができる。
【００３６】
尚、第１〜第５実施形態では右耳用のテンプル部５Ｒに操作手段を設けているが、左耳用のテンプル部５Ｌにも設けて複数の異なる操作を行うことも可能である。また、使用者の右目に映像が導かれるようになっているが、使用者の左目にも映像が表示される場合には、左耳用のテンプル部５Ｌにも操作手段を設けることによりそれぞれの映像を独立して操作することができる。
【００３７】
また本発明は、外界を観察可能な透光性のレンズ３、４を有する映像観察装置に限られない。即ち、外面が遮蔽された箱状の筐体内に表示装置及び接眼光学系が配され、使用者が筐体内を覗いて映像を観察する映像観察装置であっても上記実施形態と同様の構成により同様の効果を得ることができる。
【００３８】
【発明の効果】
本発明によると、使用者の耳に掛けるテンプル部に、テンプル部と平行な軸の回りに回転する操作部やテンプル部の軸方向にスライドする操作部を設けることにより、複雑な画面スクロールの操作を簡単に行うことができ、映像表示装置の操作性が向上する。また、操作部が側頭部に配置されるため、映像の操作を自然な動作により行うことができ、第３者から見て違和感なく操作することができる。
【図面の簡単な説明】
【図１】    本発明の第１実施形態の映像観察装置を示す斜視図である。
【図２】    本発明の第１実施形態の映像観察装置を示す断面図である。
【図３】    本発明の第１実施形態の映像観察装置の操作部を示す断面図である。
【図４】    本発明の第１実施形態の映像観察装置の他の操作部を示す断面図である。
【図５】    本発明の第１実施形態の映像観察装置の映像の縦スクロール操作を説明する図である。
【図６】    本発明の第１実施形態の映像観察装置の映像の横スクロール操作を説明する図である。
【図７】    本発明の第２実施形態の映像観察装置を示す斜視図である。
【図８】    本発明の第２実施形態の映像観察装置のトラックボールの詳細を示す斜視図である。
【図９】    本発明の第２実施形態の映像観察装置の映像の操作を説明する図である。
【図１０】  本発明の第３実施形態の映像観察装置を示す斜視図である。
【図１１】  本発明の第４実施形態の映像観察装置を示す斜視図である。
【図１２】  本発明の第５実施形態の映像観察装置のテンプル部を示す斜視図である。
【符号の説明】
１    映像観察装置
２    プリズム
２ａ  ホログラム部
３、４  レンズ
５Ｒ、５Ｌ  テンプル部
６Ｒ、６Ｌ  鼻当て部
１０    表示部
１１    表示パネル
１２    光源
１３    集光レンズ
１４    筐体
２０    操作部
２１、２２、２５、２６  ローラ
２３    トラックボール
２７    トラックパッド
２８ａ、２８ｂ  押しボタン
２９    受信部
３０    トラックポイント
４０    表示画面
４１    カーソル
【図１】
0004461624.tif 000002
【図２】
0004461624.tif 000003
【図３】
0004461624.tif 000004
【図４】
0004461624.tif 000005
【図５】
0004461624.tif 000006
【図６】
0004461624.tif 000007
【図７】
0004461624.tif 000008
【図８】
0004461624.tif 000009
【図９】
0004461624.tif 000010
【図１０】
0004461624.tif 000011
【図１１】
0004461624.tif 000012
【図１２】
0004461624.tif 000013